(57)【要約】【課題】  本発明は組立工程を単純化し、組立不良発生時に廃棄される部品数を低減することができる磁気記録／再生装置のヘッドドラム組立体の組立方法を提供することである。【解決手段】  本発明に係る磁気記録／再生装置のヘッドドラム組立体の組立方法は、固定ドラムにシャフトを圧入した後、固定ドラムにモータ固定子を組み立て、前記シャフトに回転ドラム組立体及びドラムカバー組立体を順を追って組み立てる。【選択図】      図３  
2006012397.tif 000002
【特許請求の範囲】
【請求項１】
固定ドラム組立体と；回転ドラム組立体と；前記回転ドラム組立体を前記固定ドラム組立体に対して回転自在に支持するシャフトとを含むヘッドドラム組立体を組み立てる方法において、
前記固定ドラム組立体と前記シャフトを圧入結合した後、前記シャフトに前記回転ドラム組立体をベアリングを介在して組み立てることを特徴とする磁気記録／再生装置のヘッドドラム組立体の組立方法。
【請求項２】
前記固定ドラム組立体は、
固定ドラム、前記固定ドラムに配し珪素鋼板で製作されたヨーク及び前記ヨークに配しモータ固定子を構成している二層構造のＦＰコイルを含むことを特徴とする請求項１に記載の磁気記録／再生装置のヘッドドラム組立体の組立方法。
【請求項３】
前記回転ドラム組立体は、
回転ドラム、前記回転ドラムの内径に圧入される上下部ベアリング、磁気ヘッド、前記磁気ヘッドと連結され前記回転ドラムの上部面に配する回転トランスフォーマー及び前記回転ドラムの下部側に前記モータ固定子と対面するよう配するモータ回転子を含むことを特徴とする請求項２に記載の磁気記録／再生装置のヘッドドラム組立体の組立方法。
【請求項４】
前記モータ回転子は、
回転ドラムに付着される回転子ケースと；
前記回転子ケースに付着されるマグネットとを含み、
前記回転子ケースは平板構造のリング状を有することを特徴とする請求項３に記載の磁気記録／再生装置のヘッドドラム組立体の組立方法。
【請求項５】
固定ドラム組立体及び回転ドラム組立体を組み立てるステップと；
前記固定ドラム組立体にシャフトを組み立てるステップと；
前記シャフトに前記回転ドラム組立体を回転自在に組み立てるステップと；
前記回転ドラム組立体上部に突出したシャフトにドラムカバー組立体を組み立てるステップとを含むことを特徴とする磁気記録／再生装置のヘッドドラム組立体の組立方法。
【請求項６】
前記固定ドラム組立体の組立ステップは、
固定ドラムに前記シャフトを圧入結合した後、前記固定ドラムにヨークとモータ固定子を構成している二層構造のＦＰコイルをボンディングすることを特徴とする請求項５に記載の磁気記録／再生装置のヘッドドラム組立体の組立方法。
【請求項７】
前記回転ドラム組立体の組立ステップは、
回転ドラムを用意するステップと；
前記回転ドラムの内径に上下部にベアリングを圧入するステップと；
前記回転ドラムに磁気ヘッドを設置するステップと；
前記回転ドラムに第１回転トランスフォーマーを設置し、これを前記磁気ヘッドと連結するステップと；
前記回転ドラムにモータ回転子を設置するステップとを含むことを特徴とする請求項５に記載の磁気記録／再生装置のヘッドドラム組立体の組立方法。
【請求項８】
前記モータ回転子は平板構造のリング型回転子ケースと該回転子ケースに配したマグネットを含み、前記回転子ケースは前記回転ドラムにボンディング結合され、前記マグネットは前記回転子ケースにボンディング結合されることを特徴とする請求項７に記載の磁気記録／再生装置のヘッドドラム組立体の組立方法。
【請求項９】
前記ドラムカバー組立体は、
ドラムカバーと、前記第１回転トランスフォーマーと対応する第２回転トランスフォーマー及びサブ回路基板とを含み、
前記上部ベアリングとの間に予圧スプリングを介在してシャフトに圧入結合することを特徴とする請求項７に記載の磁気記録／再生装置のヘッドドラム組立体の組立方法。
【発明の詳細な説明】
【技術分野】
【０００１】
本発明は、磁気記録／再生装置のヘッドドラム組立体に関し、特にデジタルビデオカメラ（ＤＶＣ）などの小型ビデオカメラのような磁気記録／再生装置に採用されるヘッドドラム組立体の組立方法に関する。
【背景技術】
【０００２】
一般に、デジタルビデオカメラ（ＤＶＣ）のような小型ビデオカメラやビデオ（ＶＣＲ）などの磁気記録／再生装置デッキには磁気テープをスキャニングし映像情報を記録／再生する磁気ヘッドが高速回転するよう設置されるヘッドドラム組立体が備えられている。
【０００３】
図１は磁気記録／再生装置、特に小型ビデオカメラのデッキに配するヘッドドラム組立体１００を概略的に示す断面図である。同図に示すように、ヘッドドラム組立体１００は回転ドラム１１０と固定ドラム１２０及びドラムカバー１３０を含む。
【０００４】
回転ドラム１１０は走行する磁気テープ（図示せず）をスキャニングし映像情報を記録／再生するための磁気ヘッド（ｈ）を支持しシャフト１４０に回転自在な状態で設置される。
【０００５】
固定ドラム１２０とドラムカバー１３０は回転ドラム１１０を挟んでシャフト１４０の下方と上方にそれぞれ位置するよう圧入される。
【０００６】
固定ドラム１３０は、図２に示すように、回転ドラム１１０の上側に位置する。ドラムカバー１３０は導電性ブッシュ部材１３１、カバー部材１３２及び接地板１３３を備える。
【０００７】
ブッシュ部材１３１はシャフト１４０に圧入されるフランジ型で設けられる。また、カバー部材１３２は一対のスクリュー（Ｓ）によりブッシュ部材１３１に結合されるよう樹脂モールディングして形成される。また、接地板１３３はスクリュー（Ｓ）のいずれかによりカバー部材１３２の上面に露出可能な状態で支持され、サブ回路基板１５３に電気的に連結される。
【０００８】
回転ドラム１１０とドラムカバー１３０との間にはそれぞれ磁気ヘッド（ｈ）とサブ回路基板１５３間の信号交信のため互いに対面するよう、一対の回転トランスフォーマー１５１、１５２が設置される。
【０００９】
回転ドラム１１０の底面にはリング型回転子ケース１６１の内部にドーナツ型のマグネット１６２で備えられたモータ回転子１６０が配され、固定ドラム１２０の上面にはモータ固定子１７０が設置される。モータ固定子１７０は三層構造を有するＦＰコイル（Ｆｉｎｅ  Ｐａｔｔｅｒｎ  Ｃｏｉｌ）をディスク状で製作しドーナツ型マグネット１６２と対面する状態で近接するよう設置される。図面において説明していない符号１４０ａと１４０ｂは上部及び下部ベアリング、１４１は予圧スプリングである。
【００１０】
このように構成している従来のヘッドドラム組立体１００はシャフト１４０と回転ドラム１１０を先に組み立てから、シャフト１４０が組み立てられた回転ドラム１１０を固定ドラム１２０に組み立てる。また、固定ドラム１２０が組み立てられた回転ドラム１１０の上部面にドラムカバー１３０を組み立てる。
【００１１】
即ち、シャフト１４０には上部ベアリング１４０ａが圧入される。また、シャフト１４０が圧入された上部ベアリング１４０ａを回転ドラム１１０の上側に設けられたベアリング収容部に嵌め込んで組み立てる。また、予圧スプリング１４１と下部ベアリング１４０ｂは回転ドラム１１０内部に図１及び図２のように設置される。シャフト１４０と回転ドラム１１０の組立が終わると、回転ドラム１１０の下部面には磁気ヘッド（ｈ）とモータ回転子１６０を順に設置し、上部面には回転トランスフォーマー１５２を設置する。
【００１２】
また、固定ドラム１２０は、モータ回転子１６０と対面する位置にモータ固定子１７０を設置し、シャフト１４０が圧入された回転ドラム１１０と組み立てられる。このとき、回転ドラム１１０と固定ドラム１２０はシャフト１４０により強制に嵌め込まれ組み立てられる。また、固定ドラム１２０が組み立てられた回転ドラム１１０の上側にはドラムカバー１３０がブッシュ部材１３１と共に締結される。
【００１３】
ところで、固定ドラム１２０とシャフト１４０が圧入される工程は一般に冷間圧入方法を多く用いているが、この作業途中に製品不良が多く発生する。この工程で不良が発生すると、回転ドラム１１０と固定ドラム１２０に配した付属品まで廃棄することになって、不良部品の廃棄による損害金額が大きいという問題点がある。
【発明の開示】
【発明が解決しようとする課題】
【００１４】
本発明は、前記のような問題点を鑑みてなされたものであって、その目的は組立工程を単純化し、組立不良の発生時に廃棄される部品数を低減することができる磁気記録／再生装置のヘッドドラム組立体の組立方法を提供することにある。
【課題を解決するための手段】
【００１５】
前記目的は、固定ドラム組立体と；回転ドラム組立体と；前記回転ドラム組立体を前記固定ドラム組立体に対して回転自在に支持するシャフトとを含むヘッドドラム組立体を組み立てる方法において、前記固定ドラム組立体と前記シャフトを圧入結合した後、前記シャフトに前記回転ドラム組立体をベアリングを介在して組み立てることを特徴とする磁気記録／再生装置のヘッドドラム組立体の組立方法を提供することにより達成することができる。
【００１６】
前記固定ドラム組立体は、固定ドラム、前記固定ドラムに配し珪素鋼板で製作されたヨーク及び前記ヨークに配しモータ固定子を構成している二層構造のＦＰコイルを含む。
【００１７】
なお、前記回転ドラム組立体は、回転ドラム、該回転ドラムの内径に圧入される上下部ベアリング、磁気ヘッド、前記磁気ヘッドと連結され前記回転ドラムの上部面に配する回転トランスフォーマー及び前記回転ドラムの下部側に前記モータ固定子と対面するよう配するモータ回転子を含む。
【００１８】
ここで、前記モータ回転子は、回転ドラムに付着される回転子ケースと；前記回転子ケースに付着されるマグネットとを含み、前記回転子ケースは平板構造のリング型を有する。
【００１９】
本発明の好適な実施形態によると、磁気記録／再生装置のヘッドドラム組立体の組立方法は、固定ドラムの組立方法及び回転ドラム組立体を組み立てるステップと；前記固定ドラム組立体にシャフトを組み立てるステップと；前記シャフトに前記回転ドラム組立体を回転自在に組み立てるステップと、前記回転ドラム組立体上部に突出したシャフトにドラムカバー組立体を組み立てるステップとを含む。
【００２０】
前記固定ドラム組立体の組立ステップは、固定ドラムに前記シャフトを圧入結合した後、前記固定ドラムにヨークとモータ固定子を構成している二層構造のＦＰコイルをボンディングすることを特徴とする。
【００２１】
また、前記回転ドラム組立体の組立ステップは、回転ドラムを用意するステップと；回転ドラムの内径に上下部ベアリングを圧入するステップと；回転ドラムに磁気ヘッドを配するステップと；回転ドラムに第１回転トランスフォーマーを配し、これを前記磁気ヘッドと連結するステップと；回転ドラムにモータ回転子を配するステップとを含む。
【００２２】
前記モータ回転子は平板構造のリング型回転子ケースと該回転子ケースに配するマグネットを含み、前記回転子ケースは前記回転ドラムにボンディング結合され、前記マグネットは前記回転子ケースにボンディング結合される。
【００２３】
前記ドラムカバー組立体は、ドラムカバー、前記第１回転トランスフォーマーと対応する第２回転トランスフォーマー及びサブ回路基板を含み、前記上部ベアリングとの間に予圧スプリングを介在してシャフトに圧入結合される。
【発明の効果】
【００２４】
本発明によると、組立中に不良率が高い固定ドラムとシャフトを先に組み立てることにより、組立中に不良が発生しても固定ドラムとシャフトのみを廃棄するため、不良部品発生による損害金額を低減することができる。
【発明を実施するための最良の形態】
【００２５】
以下、添付した図面に示すように、本発明の好適な実施形態を詳説する。
【００２６】
（実施形態）
図３は本発明による磁気記録／再生装置のヘッドドラム組立体２００を概略的に示す断面図である。同図に示すように、ヘッドドラム組立体２００は、シャフト２１０と、回転ドラム組立体２２０と、固定ドラム組立体２３０と、ドラムカバー組立体２４０とを含む。
【００２７】
シャフト２１０は、回転ドラム組立体２２０と、固定ドラム組立体２３０と、ドラムカバー組立体２４０の回転中心に配しこれらを支持する。
【００２８】
回転ドラム組立体２２０は、回転ドラム２２０ａと、磁気ヘッド２２１と、第１回転トランスフォーマー２２３と、モータ回転子２６０とを含む。
【００２９】
回転ドラム２２０ａはシャフト２１０に対して上部及び下部ベアリング２１１、２１２により回転自在な状態で設置される。このとき、ベアリング２１１、２１２はその内径のサイズが同一な製品で設けられることが好ましい。
【００３０】
磁気ヘッド２２１は走行する磁気テープ（図示せず）をスキャニングし映像情報を読み取る。磁気ヘッド２２１は第１回転トランスフォーマー２２３と連結される。
【００３１】
第１回転トランスフォーマー２２３はドラムカバー組立体２４０と対応する所に配した第２回転トランスフォーマー２４３と信号のやり取りを行いながら、後述するサブ回路基板２５０に磁気ヘッド２２１の信号を伝達する。
【００３２】
モータ回転子２６０はリング型回転子ケース２６１とマグネット２６２を含む。リング型回転子ケース２６１はベンディングのような別の加工を行わず平板で設けられ、マグネット２６２はドーナツ型で形成されリング型回転子ケース２６１の下部にボンディングされる。
【００３３】
固定ドラム組立体２３０は固定ドラム２３０ａとモータ固定子２７０を含む。固定ドラム２３０ａは回転ドラム２２０ａの下方に位置するよう設置される。固定ドラム２３０ａの上面にはモータ固定子２７０が配され、モータ固定子２７０はＦＰコイル２７１とヨーク２７２を含む。
【００３４】
ＦＰコイル２７１は二層構造を有するディスク状で製作され、ドーナツ型マグネット２６２と近接して向かい合うよう設置される。また、ヨーク２７２はＦＰコイル２７１の下部面に発生する磁界の過流損失現象を防止するため設置されるもので、珪素鋼板で形成されることが好ましい。
【００３５】
このようにヨーク２７２を珪素鋼板で形成する場合、従来フェライト（ｆｅｒｒｉｔｅ）材質のヨークと比べ材料費は減少し、性能においても変わりはない。図面で符号２８０はモータ固定子２７０に制御信号を伝達するモータＦＰＣである。
【００３６】
ドラムカバー組立体２４０は、ドラムカバー２４０ａと第２回転トランスフォーマー２４３、及びサブ回路基板２５０を含む。
【００３７】
ドラムカバー２４０ａは、図２に示すように、回転ドラム２２０ａの上側に配しシャフト２１０により圧入結合される。ドラムカバー２４０ａの内側にはサブ回路基板２５０が第２回転トランスフォーマー２４３と連結されるよう設置される。一方、サブ回路基板２５０にはグラウンドラインが設置されているため、別のグラウンドスクリュー設置を必要としない。
【００３８】
以下、本発明による磁気記録／再生装置のヘッドドラム組立体の組立方法を図４Ａ乃至図４Ｃに基づいて説明する。
【００３９】
本発明によるヘッドドラム組立体の組立１ステップは、図４Ａに示すように、固定ドラム２３０ａにシャフト２１０を冷間圧入することである。このとき、シャフト２１０と固定ドラム２３０ａを圧入する過程において不良が発生すると、その製品は廃棄する。また、正常的にシャフト２１０と固定ドラム２３０ａとが結合された場合にだけ、固定ドラム２３０ａにモータ固定子２７０を設置し固定ドラム組立体２３０を組み立てる。ここで、ヨーク２７２は固定ドラム２３０ａにボンディング結合され、ヨーク２７２の上部面にＦＰコイル２７１がボンディング結合される。
【００４０】
次に、図４Ｂに示すように、回転ドラム組立体２２０を組み立てる。これは回転ドラム２２０ａの上部及び下部に設けられたベアリング収容部２２５に上部及び下部ベアリング２１１、２１２を圧入し、所定の位置に磁気ヘッド２２１を設置する。それから、回転ドラム２２０ａの上部に第１回転トランスフォーマー２２３を磁気ヘッド２２１と連結されるよう設置し、回転ドラム２２０ａの下部のモータ固定子２７０と対面する位置にモータ回転子２６０を設置する。
【００４１】
次に、図４Ｃに示すように、シャフト２１０が圧入された固定ドラム２３０ａと図４Ｂのように用意した回転ドラム２２０ａとを結合する。このとき、シャフト２１０は回転ドラム２２０ａに配した上部及び下部ベアリング２１１、２１２に冷間圧入される。
【００４２】
次に、同図に示すように、固定ドラム２３０ａと結合された回転ドラム２２０ａの上側にドラムカバー組立体２４０を結合する。このとき、回転ドラム組立体２２０と固定ドラム組立体２３０を組み立てる過程において上部及び下部ベアリング２１１、２１２の内輪にシャフト２１０圧入による圧力が働くことにより、ベアリングの内輪と外輪がずれる恐れがある。これを補正するため、回転ドラム２２０ａとドラムカバー２４０ａとの間に予圧スプリング２４５を介在する。これによると、前記内輪は予圧スプリング２４５により、図４Ｃに示す矢印方向に加圧され、上部及び下部ベアリング２１１、２１２の内輪と外輪は整列される。
【００４３】
このように、シャフト２１０をモータ固定子２７０が設置されていない固定ドラム２３０ａに先に圧入すると、シャフト２１０圧入の過程において不良が発生してもシャフト２１０と固定ドラム２３０ａだけを廃棄すればよいので、従来と比べ捨てられる部品数を低減することができる。
【００４４】
以上では、本発明の原理を例示するために本発明の好適な実施形態について図示し説明したが、本発明は上述した特定の実施形態に限定されるものではなく、特許請求の範囲で請求している本発明の要旨を逸脱することなく本発明に対する種々の変形及び修正が可能であることは当業者であれば理解できることであろう。よって、そのような変更及び修正は本発明の特許請求の範囲に含まれるものと見なすべきである。
【図面の簡単な説明】
【００４５】
【図１】従来技術によるヘッドドラム組立体を示す断面図である。
【図２】図１の分解斜視図である。
【図３】本発明によるヘッドドラム組立体を示す断面図である。
【図４Ａ】本発明によるヘッドドラム組立体を組み立てる順を示す図である。
【図４Ｂ】本発明によるヘッドドラム組立体を組み立てる順を示す図である。
【図４Ｃ】本発明によるヘッドドラム組立体を組み立てる順を示す図である。
【符号の説明】
【００４６】
２００    ヘッドドラム組立体
２１０    シャフト
２１１    上部ベアリング
２１２    下部ベアリング
２２０    回転ドラム組立体
２２０ａ  回転ドラム
２２１    磁気ヘッド
２２３    第１回転トランスフォーマー
２３０    固定ドラム組立体
２３０ａ  固定ドラム
２４０    ドラムカバー組立体
２４０ａ  ドラムがバー
２４３    第２回転トランスフォーマー
２５０    サブ回路基板
２６０    モータ回転子
２７０    モータ固定子
【図１】
2006012397.tif 000003
【図２】
2006012397.tif 000004
【図３】
2006012397.tif 000005
【図４Ａ】
2006012397.tif 000006
【図４Ｂ】
2006012397.tif 000007
【図４Ｃ】
2006012397.tif 000008